【手続補正書】
【提出日】平成22年12月10日(2010.12.10)
【手続補正１】
【補正対象書類名】明細書
【補正対象項目名】０１５８
【補正方法】変更
【補正の内容】
【０１５８】
本発明の種々の態様の説明を容易にするために、本発明の特定の実施例について上で詳細に説明しているが、その意図は、本発明を実施例の細部に限定することではないことを理解されたい。むしろ、その意図は添付の特許請求の範囲で、定義される本発明の趣旨と範囲に含まれる全ての修正物、等価物、並びに代替物を網羅することである。
本願発明に関連する発明の実施形態について以下に列挙する。
［実施形態１］
光学微小共振器システムであって、
導波モードをサポートすることができる第１の光導波路と、
該第１の光導波路に光学的に結合され、１つ以上の共振モードを一次的にサポートすることができる光微小空洞であって、該第１の光導波路の該導波モードが該１つ以上の共振モードの第１の共振モードを励起する光微小空洞と、
該微小空洞に光学的に結合され、第２の共振モードをサポートすることができる光学微小共振器であって、該第１の共振モードが該第２の共振モードを励起する光学微小共振器と、を備える光学微小共振器システム。
［実施形態２］
前記第１の共振モードが第１の進行波モードを含み、前記第２の共振モードが第２の進行波モードを含む、実施形態１に記載の光学微小共振器。
［実施形態３］
前記第１の共振モードが第１の定在波モードを含み、前記第２の共振モードが第２の定在波モードを含む、実施形態１に記載の光学微小共振器。
［実施形態４］
前記第１の定在波モードが第１及び第２の進行導波モードを含み、前記第２の定在波モードが第１及び第２の進行導波モードを含み、
該第１の定在波モードの該第１の進行導波モードが該第２の定在波モードの該第１の進行導波モードに一次的に光学的に結合し、
該第１の定在波モードの該第２の進行導波モードが該第２の定在波モードの該第２の進行導波モードに一次的に光学的に結合する、実施形態３に記載の光学微小共振器。
［実施形態５］
前記微小空洞が直方体である、実施形態１に記載の光学微小共振器。
［実施形態６］
前記微小共振器が第１の結合領域内の前記微小空洞に光学的に結合され、該微小共振器が該第１の結合領域の前記導波路から距離ｄに位置し、該距離が第１の方向を定義し、該微小空洞が該第１の方向と直交する第２の方向に沿って最大厚さｈ１を有し、該微小空洞が該第１の方向に沿って最大寸法Ｗ１及び該第１及び第２の方向と直交する第３の方向に沿って最大寸法Ｌ１を有し、Ｌ１／Ｗ１が約１０以下である、実施形態１に記載の光学微小共振器。
［実施形態７］
Ｌ１／Ｗ１が約５以下である、実施形態６に記載の光学微小共振器。
［実施形態８］
Ｌ１／Ｗ１が約２以下である、実施形態６に記載の光学微小共振器。
［実施形態９］
Ｌ１／Ｗ１が約１以下である、実施形態６に記載の光学微小共振器。
［実施形態１０］
Ｌ１が約１０μｍ以下である、実施形態６に記載の光学微小共振器。
［実施形態１１］
Ｌ１が約５μｍ以下である、実施形態６に記載の光学微小共振器。
［実施形態１２］
前記微小共振器が前記第１の方向に沿って最大寸法Ｗ２、前記第２の方向に沿って最大厚さｈ２、及び前記第３の方向に沿って最大寸法Ｌ２を有し、Ｗ２及びＬ２が実質的に等しい、実施形態６に記載の光学微小共振器。
［実施形態１３］
前記光学微小共振器がマイクロリング及びレーストラックのうちの１つである、実施形態１に記載の光学微小共振器。
［実施形態１４］
前記光学微小共振器が単一横モード微小共振器である、実施形態１に記載の光学微小共振器。
［実施形態１５］
前記光微小空洞が約０．３μｍ〜約５μｍの波長範囲で、１００以下の共振モードをサポートすることができる、実施形態１に記載の光学微小共振器。
［実施形態１６］
前記光微小空洞が約０．３μｍ〜約５μｍの波長範囲で、２０以下の共振モードをサポートすることができる、実施形態１に記載の光学微小共振器。
［実施形態１７］
前記光微小空洞が約０．３μｍ〜約５μｍの波長範囲で、少なくとも２つの共振モードをサポートすることができる、実施形態１に記載の光学微小共振器。
［実施形態１８］
導波モードをサポートすることができ、前記光微小空洞に光学的に結合される第２の光導波路を更に備える、実施形態１に記載の光学微小共振器。
［実施形態１９］
前記第１及び第２の光導波路が共線である、実施形態１８に記載の光学微小共振器。
［実施形態２０］
前記微小空洞が芯結合によって前記第１の導波路に光学的に結合され、前記微小共振器が芯結合によって該微小空洞に光学的に結合される、実施形態１に記載の光学微小共振器システム。
［実施形態２１］
光学微小共振器システムであって、
厚さ寸法ｈ、幅寸法Ｗ、及び長さ寸法Ｌを有する矩形光微小空洞と、
該微小空洞に光学的に結合される入力光導波路と、
該微小空洞の長さに沿って該微小空洞に光学的に結合される光学微小共振器と、を備え、Ｌ／Ｗが約６以下である、光学微小共振器システム。
［実施形態２２］
前記微小空洞が１つ以上の共振モードを一次的にサポートすることができる、実施形態２１に記載の光学微小共振器システム。
［実施形態２３］
前記１つ以上の共振モードのそれぞれが進行波モードである、実施形態２２に記載の光学微小共振器システム。
［実施形態２４］
前記光学微小共振器が芯結合によって前記微小空洞に光学的に結合される、実施形態２１に記載の光学微小共振器システム。
［実施形態２５］
前記入力光導波路が芯結合によって前記微小空洞に光学的に結合される、実施形態２１に記載の光学微小共振器システム。
［実施形態２６］
Ｌ／Ｗが約２以下である、実施形態２１に記載の光学微小共振器システム。
［実施形態２７］
Ｌ／Ｗが約１以下である、実施形態２１に記載の光学微小共振器システム。
［実施形態２８］
前記微小空洞に光学的に結合される出力光導波路を更に含む、実施形態２１に記載の光学微小共振器システム。
［実施形態２９］
前記出力光導波路が芯結合によって前記微小空洞に光学的に結合される、実施形態２８に記載の光学微小共振器システム。
［実施形態３０］
前記入力及び出力光導波路が共線である、実施形態２８に記載の光学微小共振器システム。
［実施形態３１］
光学センサであって、
第１の共振モードをサポートすることができる微小共振器システムであって、
光学微小共振器、
１つ以上の共振モードを一次的にサポートすることができる光微小空洞であって、該光学微小共振器に光学的に結合される光微小空洞、及び
該光微小空洞に光学的に結合される第１の光導波路を備える、微小共振器システムと、
該第１の光導波路との光通信内の光源であって、該微小共振器システムの該第１の共振モードに対応する波長で光を放射することができる光源と、
該微小共振器システムとの光通信内の検出器であって、検体が該微小共振器システムに近接する場合に該第１の共振モードの該特性が変化し、該検出器が該変化を検出するように、該第１の共振モードの特性を検出することができる検出器と、を備える、微小共振器システムを備える、光学センサ。
［実施形態３２］
前記光微小空洞の前記１つ以上の共振モードのそれぞれが定在波モードである、実施形態３１に記載の光学センサ。
［実施形態３３］
前記特性が前記第１の共振モードの強度を含む、実施形態３１に記載の光学センサ。
［実施形態３４］
前記特性が前記共振モードの波長を含む、実施形態３１に記載の光学センサ。
［実施形態３５］
前記特性が前記共振モードの位相を含む、実施形態３１に記載の光学センサ。
［実施形態３６］
前記微小共振器が前記微小空洞の長さに沿って該微小空洞に光学的に結合され、該微小空洞が長さ寸法Ｌ及び幅寸法Ｗを有し、Ｌ／Ｗが約６以下である、実施形態３１に記載の光学センサ。
［実施形態３７］
Ｌ／Ｗが約１以下である、実施形態３６に記載の光学センサ。
［実施形態３８］
光学微小共振器システムであって、
導波モードをサポートすることができる第１の光導波路と、
該第１の光導波路に光学的に結合され、１つ以上の共振モードを一次的にサポートすることができる光微小空洞であって、該第１の光導波路の該導波モードが該１つ以上の共振モードの第１の共振モードを励起する光微小空洞と、
該微小空洞に光学的に結合され、第２の共振モードをサポートすることができる光学ファブリ・ペロー（Fabry Perot）空洞であって、該第１の共振モードが該第２の共振モードを励起する光学ファブリ・ペロー（Fabry Perot）空洞と、を備える光学微小共振器システム。
［実施形態３９］
前記ファブリ・ペロー（Fabry Perot）が１つ以上の格子を含む、実施形態３８に記載の光学微小共振器システム。
［実施形態４０］
前記ファブリ・ペロー（Fabry Perot）が１つ以上の鏡面反射端面を含む、実施形態３８に記載の光学微小共振器システム。
［実施形態４１］
前記光微小空洞の前記１つ以上の共振モードのそれぞれが定在波モードである、実施形態３８に記載の光学微小共振器システム。
［実施形態４２］
前記光微小空洞の前記１つ以上の共振モードのそれぞれが進行波モードである、実施形態３８に記載の光学微小共振器システム。
【手続補正２】
【補正対象書類名】特許請求の範囲
【補正対象項目名】全文
【補正方法】変更
【補正の内容】
【特許請求の範囲】
【請求項１】
光学微小共振器システムであって、
導波モードをサポートすることができる第１の光導波路と、
該第１の光導波路に光学的に結合され、１つ以上の共振モードを一次的にサポートすることができる光微小空洞であって、該第１の光導波路の該導波モードが該１つ以上の共振モードの第１の共振モードを励起する光微小空洞と、
該微小空洞に光学的に結合され、第２の共振モードをサポートすることができる光学微小共振器であって、該第１の共振モードが該第２の共振モードを励起する光学微小共振器と、を備える光学微小共振器システム。
【請求項２】
前記微小共振器が第１の結合領域内の前記微小空洞に光学的に結合され、該微小共振器が該第１の結合領域の前記導波路から距離ｄに位置し、該距離が第１の方向を定義し、該微小空洞が該第１の方向と直交する第２の方向に沿って最大厚さｈ１を有し、該微小空洞が該第１の方向に沿って最大寸法Ｗ１及び該第１及び第２の方向と直交する第３の方向に沿って最大寸法Ｌ１を有し、Ｌ１／Ｗ１が約１０以下である、請求項１に記載の光学微小共振器。
【請求項３】
光学微小共振器システムであって、
厚さ寸法ｈ、幅寸法Ｗ、及び長さ寸法Ｌを有する矩形光微小空洞と、
該微小空洞に光学的に結合される入力光導波路と、
該微小空洞の長さに沿って該微小空洞に光学的に結合される光学微小共振器と、を備え、Ｌ／Ｗが約６以下である、光学微小共振器システム。
【請求項４】
光学センサであって、
第１の共振モードをサポートすることができる微小共振器システムであって、
光学微小共振器、
１つ以上の共振モードを一次的にサポートすることができる光微小空洞であって、該光学微小共振器に光学的に結合される光微小空洞、及び
該光微小空洞に光学的に結合される第１の光導波路を備える、微小共振器システムと、
該第１の光導波路との光通信内の光源であって、該微小共振器システムの該第１の共振モードに対応する波長で光を放射することができる光源と、
該微小共振器システムとの光通信内の検出器であって、検体が該微小共振器システムに近接する場合に該第１の共振モードの該特性が変化し、該検出器が該変化を検出するように、該第１の共振モードの特性を検出することができる検出器と、を備える、微小共振器システムを備える、光学センサ。